(57)【要約】      （修正有）【課題】リクライニング時に頭部を右端または左端へ移動する際の枕の移動を解消し、通信端末を寝た状態で操作することによる身体の変調（目の疲れ、肩こり、首のこり）を緩和する補助枕を提供する。【解決手段】バンド５ａ，５ｂを付けた三角また半円の枕１個で左右両側に付替えができ、またズレ防止を備えた。表面には２段階の深さで長方形のポケット３，４を中央に配置し、通信端末また幅の広いポケットに大き目の通信端末を置いて顔からの間隔を調整可能とする。【選択図】図１
2019141601.tif 000002
【特許請求の範囲】
【請求項１】
枕部分と前記枕部分に接合された固定バンドを備えてなる補助枕であって、前記枕部分は、８０°〜１００°の角度をなすほぼ等しい長さの第一の辺と第二の辺、それらの辺を結合する第三の辺を備えた形状を備え、クッション性を有する材質で構成され、一方の表面に、前記第三の辺にほぼ平行な方向に設けられてなる、通信端末を嵌合可能な溝形状のポケットを少なくとも一つ備えてなることを特徴とする補助枕である。
【請求項２】
前記第一の辺と前記第二の長さは、６０ｃｍ以下（０を含まず）で、前記第一の辺と前記第二の辺が接合する部分の曲率半径は、２〜５８ｃｍで、前記第一の辺と前記第二の辺のそれぞれの辺と前記第三の辺が接合する部分の曲率半径は、１〜５ｃｍで、厚さは、８〜２０ｃｍで、前記固定バンドは、前記第一の辺と前記第二の辺のそれぞれに１本接合されてなり、接合される位置は、前記第一の辺と前記第二の辺が接合する部分から、１５〜３０ｃｍ離れた位置であることを特徴とする、請求項１に記載の補助枕である。
【請求項３】
前記枕部分は、弾性係数が異なる材料を厚さ方向に重ねられてなる構造を有し、前記ポケットが設けられている側が、弾性係数が小さいことを特徴とする、請求項１または請求項２に記載の補助枕である。
【請求項４】
前記ポケットは、深さ方向に段差を備えた形状を有し、前記ポケットの開口部の幅は、０．５〜２ｃｍ、長さは、１５〜４０ｃｍで、前記ポケットの開口部から一段目の深さは、１〜４ｃｍで、前記ポケットの開口部から２段目の深さは、２〜８ｃｍであることを特徴とする、請求項１ないし請求項３のいずれかに記載の補助枕である。
【請求項５】
前記固定バンドは、少なくとも一方の面に、面ファスナーを備えてなることを特徴とする、請求項１ないし請求項４のいずれかに記載の補助枕である。
【発明の詳細な説明】
【技術分野】
【０００１】  本発明は、横向きで寝た状態による通信端末や大きめの通信端末の操作からくる首・肩周辺の筋肉を緩和させることができ、また別にリクライニング用品に固定して使用する枕に関する。
【背景技術】
【０００２】  枕は睡眠時の姿勢を保持した四角形の形状が主流となるものと、補助枕横向きで楽な姿勢を取るための四角柱の形状もある。（特許文献１参照）
【先行技術文献】
【特許文献】
【０００３】
【特許文献１】特開２００８−１８２１３号公報
【発明の概要】
【発明が解決しようとする課題】
【０００４】  特許文献１に記載の前記文献の枕を使用して横向きで長時間通信端末を操作する場合顔の角度が下向きとなり身体の変調（目の疲れ、肩こり、首こり）を感じている。【０００５】  また、リクライニング時に枕を使う際は、枕がズレたりベッド横側に設置のテレビを見るために枕を移動させるなどの不便を解消する補助枕を提供することを目的とする。
【課題を解決するための手段】
【０００６】  本発明は、横向きで使用時の下向き視線を横に水平にして首と肩のこりを防ぐために、補助枕に２段階の深さで長方形の窪みを中央に配置し通信端末を置くことを特徴としている。【０００７】  本発明はリクライニング時にベッド上部両端に頭部を支えるため、ズレ防止のバンドで固定して使用することに適している。
【発明の効果】
【０００８】  本発明により、横向きで寝た状態の目線は水平に近くなり一定の間隔を取って動画などを見ることができ、操作時の姿勢改善と首・肩こりを緩和できる。【０００９】  本発明は、左右に移動させバンドにて固定し、テレビや本を見る際の身体の向きが自由で疲れ軽減となりリラックスができる。
【図面の簡単な説明】
【００１０】
【図１】本発明に係る二段階構造ポケットの三角形補助枕の一例を示す斜視図である。（実施例１）
【図２】本発明の実施例１の使用状態を示す図である。
【図３】本発明の実施例１の使用状態を示す図である。
【図４】本発明に係る実施例１を示す斜視図である。
【図５】本発明の実施例２の使用状態を示す図である。
【図６】本発明の実施例３の斜視図である。
【図７】本発明の実施例４の斜視図である。
【図８】本発明の図１の名称を示す図である。
【図９】本発明の図８のＣから見た断面図である。
【発明を実施するための形態】
【００１１】  本発明は、図１、図４、図６、図７に係る補助枕の実施例を示す。通信端末を二段階構造のポケットに縦または横向き設置する示す図である。
【００１２】  本発明は、図４ないし図７は本発明に係る補助枕の実施例を示す。図５は中央の二段階構造ポケットと上部または下部に平行して並ぶポケットに大き目の通信端末を横向きに配置する示す図である。
【００１３】  実施例１は、図１、図２、図３、図４の裏面に頭部を置く事ができる。ソファー・リクライニング用品等の上部角に固定する為、固定バンド５ａ５ｂで固定することができる。
【００１４】  実施例１は、図８Ｃの断面図９で示す  前記枕部分は、弾性係数が異なる材料を厚さ方向に重ねられてなる構造を有し、前記ポケットが設けられている側が、弾性係数が小さいことを特徴とする、請求項１または請求項２に記載の補助枕である。
【実施例１】
【００１５】  本発明の図１は、枕部分と前記枕部分に接合された固定バンドを備えてなる補助枕であって、前記枕部分は、９０°（８０°〜１００°でもよい）の角度をなすほぼ等しい長さの第一の辺と第二の辺、それらの辺を結合する第三の辺を備えた形状を備え、クッション性を有する材質で構成され、一方の表面に、前記第三の辺にほぼ平行な方向に設けられてなる、通信端末を嵌合可能な溝形状のポケットを少なくとも一つ備えてなることを特徴とする補助枕である。【００１６】  実施例１は、図２の長方形に２段階の階段型のポケットの中央に配置し、通信端末を二段階ポケットの二段目に縦向きに差入れて寛ぎながら観ている状態である。  前記第一の辺と前記第二の長さは、６０ｃｍ以下（０を含まず）で、前記第一の辺と前記第二の辺が接合する部分の曲率半径は、２〜５８ｃｍで、前記第一の辺と前記第二の辺のそれぞれの辺と前記第三の辺が接合する部分の曲率半径は、１〜５ｃｍで、厚さは、１０ｃｍ（８〜２０ｃｍでもよい）で、前記固定バンドは、前記第一の辺と前記第二の辺のそれぞれに１本接合されてなり、接合される位置は、前記第一の辺と前記第二の辺が接合する部分から、１５〜３０ｃｍ離れた位置であることを特徴とする、請求項１に記載の補助枕である。【００１７】  実施例１は軽量で小型の為持ち運びや、置き場所を自由に選べて移動ができる。【００１８】  実施例１は、金属のスタンドと違い、倒れて通信端末を傷つけ壊れることを防ぐことができる弾力性のある素材で挟む形態である。
前記第一の辺と前記第二の長さは、６０ｃｍ以下（０を含まず）で、前記第一の辺と前記第二の辺が接合する部分の曲率半径は、２〜５８ｃｍで、前記第一の辺と前記第二の辺のそれぞれの辺と前記第三の辺が接合する部分の曲率半径は、１〜５ｃｍで、厚さは、８〜２０ｃｍで、前記固定バンドは、前記第一の辺と前記第二の辺のそれぞれに１本接合されてなり、接合される位置は、前記第一の辺と前記第二の辺が接合する部分から、１５〜３０ｃｍ離れた位置であることを特徴とする、請求項１に記載の補助枕である。
前記枕部分は、弾性係数が異なる材料を厚さ方向に重ねられてなる構造を有し、前記ポケットが設けられている側が、弾性係数が小さいことを特徴とする、請求項１または請求項２に記載の補助枕である。
前記ポケットは、深さ方向に段差を備えた形状を有し、前記ポケットの開口部の幅は、１ｃｍ（０．５〜２ｃｍでもよい）、長さは、２０ｃｍ（１５〜４０ｃｍでもおい）で、前記ポケットの開口部から一段目の深さは、１．５ｃｍ（１〜４ｃｍでのよい）で、前記ポケットの開口部から２段目の深さは、４ｃｍ（２〜８ｃｍでもよい）であることを特徴とする、請求項１ないし請求項３のいずれかに記載の補助枕である。
前記固定バンドは、少なくとも一方の面に、面ファスナーを備えてなることを特徴とする、請求項１ないし請求項４のいずれかに記載の補助枕である。
【実施例２】
【００１９】  実施例１は、リクライニングベッドを倒して平らな状態の時には、ベッドから取り外しての二段階式ポケットへ通信端末を縦または横向き、または大き目の通信端末をもう一つの横向き差入れて観ることができるなど、自由に使用状態を選べる。ポケットが両方あること以外は実施例１と同じである。
【実施例３】
【００２０】  クッションが三角形ではなく半円形であること以外は実施例１と同じようにである。図１、図２、図３、図４はリクライニングベッドのリクライニング状態の角に５ａと５ｂの固定バンドで設置をした使用状態であり、ベッドの左右どちら側にも設置可能である。
【実施例４】
【００２１】図７本発明は実施例４の斜視図である。
実施例４はクッションが三角形でなく半円形以外であること以外は実施例２と同じである。
【符号の説明】
【００２２】１．…    通信端末を固定できる程よい硬さのクッション性のある素材
２．…    柔らかい素材
３．…    二段式ポケット一段目
４．…    二段式ポケット二段目
５ａ．…  固定バンド
５ｂ．…  固定バンド
６．…    大きめの通信端末ポケット
【図１】
2019141601.tif 000003
【図２】
2019141601.tif 000004
【図３】
2019141601.tif 000005
【図４】
2019141601.tif 000006
【図５】
2019141601.tif 000007
【図６】
2019141601.tif 000008
【図７】
2019141601.tif 000009
【図８】
2019141601.tif 000010
【図９】
2019141601.tif 000011